(57)【特許請求の範囲】
【請求項１】
浴室と脱衣室との間の開口に設けた枠体内に一対の戸体を浴室側に向けて折り畳み開閉自在に並設してなる浴室折り戸であって、
上記一対の戸体をその相互間に配置した連結桟を介して連結すると共に、該連結桟には上記枠体を構成する下枠に対して係脱自在に係合するラッチを設け、
上記ラッチは上記下枠に係脱自在に係合するラッチ突起とこのラッチ突起を収納するラッチケースとを備えると共に、該ラッチケースの両側部には上記連結桟にスライド係合することにより該連結桟に上記ラッチを固定するためのラッチ固定部を設けてなり、
上記ラッチには上記一対の戸体の閉鎖時に該戸体相互の対向側面と上記連結桟の浴室側面とで囲まれる空間部において該空間部と略同幅にて収まる規制部を設けるもので、上記ラッチケースが上記規制部を構成することにより、上記戸体の閉鎖時に上記ラッチケースの両側面が戸体相互の対向側面に略当接自在としてなることを特徴とする浴室折り戸。
【発明の詳細な説明】
【０００１】
【発明の属する技術分野】
本発明は、浴室と脱衣室との間に設けられる浴室折り戸であって、特に戸体閉鎖時の反り返しを防止することのできる浴室折り戸に関する。
【０００２】
【従来の技術】
近年におけるバリアフリー化の要請から、一般住宅の浴室と脱衣室の間に設けられる浴室折り戸についても、バリアフリー構造のものが提案され広く採用されている。このようなバリアフリー構造の浴室折り戸は、浴室と脱衣室の間の開口に設けた枠体内に、一対の戸体を浴室側に向けて折り畳み開閉自在に並設して構成されている。
ここで、枠体の下枠は、バリアフリー構造としての基準に適合するように、浴室及び脱衣室の床面に対して、面一又は所定の基準値以内の段差のみを有するように形成されている。
【０００３】
このようなバリアフリー構造の浴室折り戸においては、戸体は、下枠よりも若干上方に浮き上がるように配置されている。
すなわちバリアフリー構造でない浴室折り戸においては、浴室の床面は脱衣室の床面より低く形成され、両床面の間には段部が形成されていた。そして戸体は下枠より若干下方に下がった位置に配置され、戸体の閉鎖時においては戸体の脱衣室側の側面が段部に当接するように形成されていた。
一方、上述のようなバリアフリー構造の浴室折り戸においては、下枠が浴室や脱衣室に対して面一又はほぼ面一に形成されていることから、戸体はその側面を下枠に対して当接させることなく配置されていた。
【０００４】
【発明が解決しようとする課題】
しかしながら従来のこのようなバリアフリー構造の浴室折り戸においては、戸体が下枠に当接することのないように構成されていたので、戸体を勢いよく閉じた場合に、該戸体下部の動作を規制することができず、勢い余って戸体が脱衣室に反り返るおそれがあった。このような場合には、戸体の縦框や連結桟に大きな負荷が加わり、これら縦框や連結桟が変形するおそれがあった。
【０００５】
本発明は、従来のこのような浴室折り戸における問題点に鑑みてなされたもので、戸体が脱衣室に反り返ることを防止し、戸体等が変形することを防ぐことのできる、浴室折り戸を提供することを目的とする。
【０００６】
【課題を解決するための手段】
上記従来の浴室折り戸における問題点を解決するために請求項１記載の本発明は、浴室と脱衣室との間の開口に設けた枠体内に一対の戸体を浴室側に向けて折り畳み開閉自在に並設してなる浴室折り戸であって、
上記一対の戸体をその相互間に配置した連結桟を介して連結すると共に、該連結桟には上記枠体を構成する下枠に対して係脱自在に係合するラッチを設け、
上記ラッチは上記下枠に係脱自在に係合するラッチ突起とこのラッチ突起を収納するラッチケースとを備えると共に、該ラッチケースの両側部には上記連結桟にスライド係合することにより該連結桟に上記ラッチを固定するためのラッチ固定部を設けてなり、
上記ラッチには上記一対の戸体の閉鎖時に該戸体相互の対向側面と上記連結桟の浴室側面とで囲まれる空間部において該空間部と略同幅にて収まる規制部を設けるもので、上記ラッチケースが上記規制部を構成することにより、上記戸体の閉鎖時に上記ラッチケースの両側面が戸体相互の対向側面に略当接自在としてなることを特徴として構成されている。
【０００９】
【発明の実施の形態】
以下、本発明の一実施形態について図面を参照して詳細に説明する。図１は浴室折り戸全体の正面図、図２は図１のＡ−Ａ矢視横断面図、図３は図２の戸体開放状態を示す横断面図、図４は図１のＢ−Ｂ矢視横断面図、図５は図１のＣ−Ｃ矢視横断面図、図６は図１のＤ−Ｄ矢視縦断面図、図７は浴室折り戸の分解斜視図である。
【００１０】
図１〜３に示すように本実施形態の浴室折り戸は概略的に、浴室と脱衣室との間の開口に設けた枠体１内に、一対の戸体２、３を収めて構成されている。
このうち枠体１は、上下枠１１、１２及び左右の縦枠１３、１４から方形状に枠組されている。このうち下枠１２は、図６に示すように、浴室の床面４及び脱衣室の床面５に対して面一又は所定の基準値以内の段差のみを有してバリアフリー構造を構成している。
【００１１】
また一対の戸体２、３は、図１〜３に示すように、枠体１内において見付方向に沿って並設されている。これら各戸体２、３は、図１、６に示すように、上框２１、３１、下框２２、３２、左の縦框２３、３３、及び右の縦框２４、３４から方形状に枠組された框体内にパネル２５、３５を嵌込んで構成されている。
このうち縦枠１３、１４側に配置される縦框２３、３４には、図７に示すように、その上下の両端部にヒンジ６が設けられており、このヒンジ６によって各戸体２、３が支持されている。これらヒンジ６のうち、戸体３の縦框３４に設けられたヒンジ６は固定用であり、縦框３４を上下枠１１、１２に対して回転自在かつ見付け方向に移動不能に連係する。また戸体２の縦框２３に設けられたヒンジ６は可動用であり、縦框２３を上下枠１１、１２に対して回転自在かつ見付け方向に移動自在に連係する。
【００１２】
ここで戸体２、３の相互間には、これらを連結するための連結桟７が配置されている。そして縦框２４、３３は連結框として機能し、連結桟７に対して図４、５に示す如き構造にて相互に連結されている。具体的には、縦框２４、３３には連結桟７側に突出する横断面略中空円筒状の連結子２４ａ、３３ａが形成され、連結桟７には上記連結子２４ａ、３３ａを受け入れる横断面半円筒状の連結溝７ａが形成されており、この連結溝７ａ内に連結子２４ａ、３３ａが回転可能に保持されている。このような構造によって、各戸体２、３は連結桟７を介して相互に連結されると共に、図２、３に示すように浴室側に向けて折り畳み開閉自在とされている。
【００１３】
このようにヒンジ６によって支持されると共に、連結桟７にて連結された状態において、各戸体２、３及び連結桟７は、下枠１２よりも若干上方に浮き上がるように配置される。すなわち戸体２、３及び連結桟７は、図６に示すように、その側面及び下面のいずれをも下枠１２に対して当接させることなく配置されている（なお後述するように、ラッチ４０は下枠１２に対して係合する）。
【００１４】
ここで連結桟７には、図１〜３に示すように、その上下の両端部にラッチ４０が設けられている。このラッチ４０は連結桟７の上下いずれかに突出し、上下枠１１、１２に対して係脱自在に係合することによって戸体２、３の開閉時において適度な抵抗を生じさせるものである。なお上側のラッチ４０は従来と同様に構成されているにすぎないため、以下、下側のラッチ４０について説明する。
【００１５】
図８（ａ）、（ｂ）、（ｃ）、（ｄ）には、それぞれラッチ４０の正面図、側面図、縦断面図、平面図を示す。これら図８においてラッチ４０はプラスチック等の樹脂にて形成されるもので、連結桟７に対して固定される固定部４１と、下枠１２に係脱自在に係合するラッチ突起４２と、これら固定部４１及びラッチ突起４２を収納するラッチケース４３とを備えて構成されている。
【００１６】
このうち固定部４１は、図４に示すように、連結桟７の中空部内に挿入配置されている。この固定部４１の上端部にはネジ孔４１ａが形成されている。また図７に示すように連結桟７にも、ネジ孔４１ａに対応する位置に、上下に延びる長孔状のネジ孔７ｂが形成されている。そして図６、７に示すように、連結桟７のネジ孔７ｂを介して、連結ビス４４を固定部４１のネジ孔４１ａにネジ込むことにより、固定部４１が連結桟７に固定される。この固定部４１の下方には方形筒状の連結部４５が一体に設けられている。
【００１７】
またラッチ突起４２は、正面薄幅状に形成されており、図６に示すように下枠１２の長手方向に沿って形成された係合溝１２ａに対して係脱自在に係合する。このラッチ突起４２の上部には、図６、８に示すように、上方に延びる係止片４６が設けられている。この係止片４６は、固定部４１の連結部４５内に挿入されると共に、該連結部４５の上端に係止されている。これによってラッチ突起４２は、固定部４１に対して上下にスライド自在かつ係脱不能に係止されている。
【００１８】
連結部４５内には付勢バネ４７が設けられており、この付勢バネ４７によってラッチ突起４２が下方に向けて付勢されている。したがって何ら抵抗を加えない状態においてはラッチ突起４２は付勢バネ４７に付勢されて最下方に位置する。またラッチ突起４２は、下枠１２の係合溝１２ａに係合する直前及び係合溝１２ａから係脱した直後には、該下枠１２にて押圧されることによって上向きの力を受け、付勢バネ４７の付勢力に抗して上方にスライドする。
【００１９】
ここで戸体２、３は下枠１２に対して当接することのないように配置されているが、図６に示すように下枠１２の長手方向のうちラッチ４０に対応する部分にはピース状のラッチ受け５０がネジ止めされている。このラッチ受け５０は、下枠１２の他の部分よりも若干上方に突出するように配置されており、その上部にラッチ４０のラッチ突起４２を係合自在として、ラッチ４０によるラッチ動作が可能とされている。
なお連結桟７のネジ孔７ｂが長孔状に形成されているのは、連結桟７に対する固定部４１及びラッチ突起４２の上下位置をスライド可能とし、ラッチ突起４２の下方への突出量を変えることによって、下枠２１に対するラッチ４０の係合強さを調節可能とするためである。
【００２０】
このように構成された固定部４１及びラッチ突起４２を収納するラッチケース４３は、全体を略方形の中空箱状に形成されている。そしてこのラッチケース４３の中空部内に、上述の固定部４１及びラッチ突起４２が略収納されている。このラッチケース４３の上下にはそれぞれ開口が形成され、この開口を介して固定部４１の上端部が上方に延出すると共に、ラッチ突起４２の下端部が下方に突出している。なお図６に示すように、ラッチラッチケース４３はその連結桟４５側の側部において、連結ビス４９を介して連結桟４５にネジ止めされている。
【００２１】
次に、戸体２、３の閉鎖時に該戸体２、３が脱衣室側へ反り返ることを防止するための構造について説明する。
まず図４、５に示すように戸体２、３の閉鎖時においては、戸体２、３の側面のうち相互に対抗する側面（具体的には縦框２４の側面２４ｂと、縦框３３の側面３３ｂ）と、連結桟７の浴室側の側面７ｃとで囲まれる空間部８が形成される。そしてこの空間部８に、戸体２、３の脱衣室側への反り返りを防止するための規制部が設けられている。
【００２２】
この規制部は、上述のラッチケース４３によって構成されている。具体的には図４、８に示すように、ラッチケース４３は上記空間部８の幅Ｗ１とほぼ同じ幅Ｗ２にて形成されており、連結桟７の側面７ｃにおける見付け方向の中央位置に配置されている。したがって図４に示すように、戸体２、３の閉鎖時においては、ラッチケース４３の両側面が側面２４ａ、３３ａに対してほぼ同時に当接し、戸体２、３がさらに脱衣室側に反り返ることを防止することができる。なお戸体閉鎖時におけるラッチケース４３と側面２４ａ、３３ａとの間隔（すなわち幅Ｗ１と幅Ｗ２との差）は、戸体２、３が脱衣室側に反り返ることなく静かに閉鎖された際には両者が当接せず、戸体２、３が脱衣室側にわずかでも反り返った時点で両者が当接するように決定される。あるいは、連結桟７等の変形を生じない程度の反り返り状態であれば、ラッチケース４３は側面２４ａ、３３ａに当接しないように若干の余裕を持たせてもよい。
【００２３】
特に本実施形態においては、上述のようにラッチケース４３にて規制部を構成しているため、コスト低減及び取付け作業の簡略化を図ることができる。すなわちラッチケース４３とは全く別個に規制部を形成すると共に、この規制部を連結桟７に別途に取付けることも可能であるが、この場合には規制部を設計・製造する手間を要し、コストの上昇を招くことになる。またラッチケース４３の取付けに加え、規制部の取付けが必要となることから、取付け作業が煩雑になる。これに対して本実施形態によれば、規制部を別個に製造・取付ける必要がないことから、コスト低減及び取付け作業の簡略化を図ることができる。
【００２４】
このようにラッチケース４３にて規制部を構成した場合、ラッチケース４３が側面２４ａ、３３ａに当接した際には、当然のことながらラッチケース４３に負荷・衝撃が加わることになる。このような負荷・衝撃によってラッチケース４３が破損することを防止するため、本実施形態におけるラッチケース４３は、従来のラッチケース４３に比べて肉厚に形成されている。この他、ラッチケース４３の強度を向上させるために該ラッチケース４３の中空部内にリブ片を設ける等の工夫を施してもよく、またラッチケース４３を硬質樹脂や樹脂以外の硬質材料にて形成してもよい。
【００２５】
また上述のような負荷・衝撃が加わった場合においても、ラッチケース４３は連結桟７に対して強固に固定されている必要がある。このため本実施形態におけるラッチケース４３には、図５、８に示すように、その両側方に、レール状のラッチ固定部４８が設けられている。このラッチ固定部４８は、ラッチケース４３の長手方向に沿って、そのほぼ全長に設けられている。一方、連結桟７の下端部には図７に示すように開口７ｄが設けられている。そしてこの開口７ｄの両側辺にラッチ固定部４８が係合することによって、図５に示すようにラッチ４０が連結桟７に強固に固定されている。このように戸体２、３閉鎖時の衝撃を受けるラッチケース４３自体を連結桟７に直接連結していることから、ラッチケース４３に負荷・衝撃が加わった場合においても、ラッチケース４３が連結桟７に対して脱落することなく強固に固定される。このためラッチケース４３にて戸体２、３の反り返りを確実に防止することができる。
【００２６】
さてこれまで本発明の一実施形態について説明したが、本発明は上記に示した実施形態に限定されず、その技術的思想の範囲内において種々異なる形態にて実施されてよいものであり、以下、これら異なる形態について説明する。
まず浴室折り戸の構造、特に枠体、戸体、ラッチケースの基本構造は、上記説明した構造以外にも公知のあらゆる構造が適用されてよい。
【００２７】
【発明の効果】
以上のように本発明は、一対の戸体を、その相互間に配置した連結桟を介して連結し、連結桟には、枠体を構成する下枠に対して係脱自在に係合するラッチを設け、ラッチには、一対の戸体の閉鎖時に該戸体相互の対向側面と連結桟の浴室側面とで囲まれる空間部において、該空間部と略同幅にて収まる規制部を設けたことにより、戸体の閉鎖時においては、ラッチの規制部が戸体の対抗側面に対してほぼ同時に当接し、戸体が脱衣室側に反り返ることを防止することができる。
【００２８】
また本発明は、ラッチは、下枠に係脱自在に係合するラッチ突起と、このラッチ突起を収納するラッチケースとを備え、該ラッチケースにて規制部を構成することにより、規制部を別個に製造・取付ける必要がないことから、コスト低減及び取付け作業の簡略化を図ることができる。また最も構成が簡易であると共に、外観上も極めてシンプルにラッチを構成することができる。
【００２９】
また本発明は、ラッチのラッチケースには、連結桟にスライド係合することにより該連結桟にラッチを固定するためのラッチ固定部を設けたことから、ラッチケース自体を連結桟に直接連結でき、ラッチケースが連結桟に対して脱落することなく強固に固定される。したがってラッチケースにて戸体の反り返りを確実に防止することができる。
【図面の簡単な説明】
【図１】本発明の一実施形態における浴室折り戸全体の正面図である。
【図２】図１のＡ−Ａ矢視横断面図である。
【図３】図２の戸体開放状態を示す横断面図である。
【図４】図１のＢ−Ｂ矢視横断面図である。
【図５】図１のＣ−Ｃ矢視横断面図である。
【図６】図１のＤ−Ｄ矢視縦断面図である。
【図７】浴室折り戸の分解斜視図である。
【図８】（ａ）、（ｂ）、（ｃ）、（ｄ）は、それぞれラッチの正面図、側面図、縦断面図、平面図である。
【符号の説明】
１  枠体
２、３  戸体
４  （浴室の）床面
５  （脱衣室の）床面
６  ヒンジ
７  連結桟
７ａ  連結溝
７ｂ  ネジ孔
７ｃ  側面
７ｄ  開口
８  空間部
１１  上枠
１２  下枠
１２ａ  係合溝
１３  左の縦枠
１４  右の縦枠
２１、３１  上框
２２、３２  下框
２３、３３  左の縦框
２４、３４  右の縦框
２４ａ、３３ａ  連結子
２４ｂ、３３ｂ  側面
２５、３５  パネル
４０  ラッチ
４１  固定部
４１ａ  ネジ孔
４２  ラッチ突起
４３  ラッチケース
４４、４９  連結ビス
４５  連結部
４６  係止片
４７  付勢バネ
４８  ラッチ固定部
５０  ラッチ受け
【図１】
0003587725.tif 000002
【図２】
0003587725.tif 000003
【図３】
0003587725.tif 000004
【図４】
0003587725.tif 000005
【図５】
0003587725.tif 000006
【図６】
0003587725.tif 000007
【図７】
0003587725.tif 000008
【図８】
0003587725.tif 000009